(57)【特許請求の範囲】
【請求項１】
筒状の基材と、
前記基材の表面に形成された下地層と、
前記下地層の表面に形成された発光層と、
前記発光層の表面に形成された透明又は半透明の多重反射層と、
を備え、
前記多重反射層は、前記発光層の色目を和らげる透明又は半透明のメタリック塗料を塗布することで形成されている、
筒状体。
【請求項２】
前記多重反射層の上に形成された着色クリア層をさらに備える、請求項１に記載の筒状体。
【請求項３】
前記発光層と多重反射層との間に形成された着色クリア層をさらに備える、請求項１に記載の筒状体。
【請求項４】
前記下地層は、白色系又は銀色系に着色されている、請求項１から３のいずれかに記載の筒状体。
【請求項５】
前記発光層は、蛍光顔料又は蓄光顔料を添加した発光塗料を塗布することで形成されている、請求項１から４のいずれかに記載の筒状体。
【請求項６】
前記発光層の厚みは１μｍ以上２５μｍ以下である、請求項１から５のいずれかに記載の筒状体。
【発明の詳細な説明】
【０００１】
【発明の属する技術分野】
本発明は、筒状体、特に、発光層が形成された釣り竿、ゴルフシャフト等の筒状体に関する。
【０００２】
【従来の技術】
筒状体である釣り竿には、その外周面の先端や中間部に発光層を形成したものが知られている。このような筒状体に発光層を形成することで、光が四方に放射され夜間において釣り竿の挙動を視認しやすくなり、魚の当たりが分かりやすくなる。このような発光層は、通常白色系又は銀色系等の明るい色の本体色の上に蛍光顔料や蓄光顔料を添加した発光塗料を塗布して形成されている。このように明るい色の上に発光塗料を塗布することで発光した色がきれいに見える。また、この発光層の耐候性や発光寿命を確保するため、従来、発光塗料を厚く塗って厚みが厚い発光層を形成している。
【０００３】
【発明が解決しようとする課題】
このように発光層の厚みが厚くなると、発光した色の色見がきつく、高級感が得られず下品なイメージになりやすい。また、発光層が表面に露出しているので、紫外線等の影響により退色もしやすくなり、発光した色の寿命が低下しやすくなる。
【０００４】
本発明の課題は、発光色を退色しにくするとともに発光色の色見を和らげて高級感を演出できるようにすることにある。
【０００５】
【課題を解決するための手段】
発明１に係る筒状体は、筒状の基材と、下地層と、発光層と、多重反射層とを備えている。下地層は、基材の表面に形成された層である。発光層は、下地層の表面に形成された層である。多重反射層は発光層の表面に形成された透明又は半透明の層である。そして、多重反射層は、発光層の色目を和らげる透明又は半透明のメタリック塗料を塗布することで形成されている。この筒状体では、発光層の表面に透明又は半透明の多重反射層が形成されているので、発光層で発光した光が多重反射層で多重反射して色が変化し色見が和らげられる。このため発光色の色見がきつくなくなり高級感を演出できる。また、発光層の上に多重反射層が形成されているので、発光層が多重反射層でカバーされ退色しにくくなる。また、メタリック塗料を発光層上に塗布するだけでよいので、多重反射層の形成が容易である。
【０００６】
発明２に係る筒状体は、発明１に記載の筒状体において、多重反射層の上に形成された着色クリア層をさらに備える。この場合には、多重反射層の上にさらに着色クリア層が形成されるので、多重反射層により色見が和らげられた色が着色クリア層により変化して今までと異なる色を表現でき、さらに高級感を演出できる。
【０００７】
発明３に係る筒状体は、発明１に記載の筒状体において、発光層と多重反射層との間に形成された着色クリア層をさらに備える。この場合には、発光層の上にさらに着色クリア層が形成されるので、発光層の色が着色クリア層の色及び多重反射層により変化して今までと異なる色を表現でき、さらに高級感を演出できる。
【０００８】
発明４に係る筒状体は、発明１から３のいずれかに記載の筒状体において、前記下地層は、白色系又は銀色系に着色されている。この場合には、発光層の色が下地層の色に影響されることなくきれいに発色する。
【０００９】
発明５に係る筒状体は、発明１から４のいずれかに記載の筒状体において、前記発光層は蛍光顔料又は蓄光顔料を添加した発光塗料を塗布することで形成されている。この場合には、塗料を下地層の上に塗布するだけでよいので、任意の形状の発光層を任意の厚みで簡単に形成できる。
【００１０】
発明６に係る筒状体は、発明１から５のいずれかに記載の筒状体において、前記発光層の厚みは１μｍ以上２５μｍ以下である。厚みが１μｍ未満であると発光層の発光量や耐候性が充分に確保されず、厚みが２５μｍを超えると、剥離しやすくなる。
【００１１】
【発明の実施の形態】
図１において、本発明の一実施形態による筒状体を採用した中通し竿１０は、振出形式で連結された３つの竿体１２〜１４を有している。竿体１２は元竿であり、竿尻部にグリップ部１１を有している。竿体１３は中間竿、竿体１４は穂先竿であり、それぞれ竿体１２，竿体１３の先端部に伸縮自在に連結されている。各竿体１２〜１４の内部には釣り糸経路が形成されている。
【００１２】
竿体１２のグリップ部１１の近傍には、釣り糸３０を巻き取るためのリール２０が装着されている。竿体１２の先端部分には釣り糸３０を竿内部に導入するための糸導入口１６が形成されている。また、竿体１４の先端にはトップガイド１８が装着されている。リール３０から引き出された釣り糸３０は、糸導入口１６から竿体１２の内部に導入され、トップガイド１８から外部に引き出される。
【００１３】
各竿体１２〜１４は、それぞれ炭素繊維強化樹脂製のプリプレグをマンドレルに多数層巻回し焼成して得られた先細り円筒の樹脂基材を下地色で塗装し、さらにクリア塗装した筒状体である。また、トップガイド１８も、同じく炭素繊維強化樹脂のプリプレグを積層焼成して得られた樹脂基材を下地色で塗装しさらにクリア塗装した筒状体である。
【００１４】
図２に示すように、竿体１２の糸導入口１６の前後部分の樹脂基材４０の外周面には、下地層４１と、発光層４２と、多重反射層４３とがこの順に形成されている。下地層４１は、たとえば、樹脂基材４０の表面に対し、シゴキ塗装、スプレー塗装等の塗装方法で塗料を塗布して形成された層である。この下地層４１には、下地層４１の表面に形成された発光層４２の発色をきれいにするために白色系又は銀色系等の明るい色の塗料が用いられている。
【００１５】
発光層４２は、蛍光性顔料や蓄光性顔料等の発光性を有する顔料を添加した発光塗料を下地層４１の表面にシゴキ塗装、スプレー塗装等の塗装方法で塗布して形成された層である。ここで、蓄光性顔料としては、ファイヤーオレンジＡＸ−１４Ｎ（商品名：ＤＡＹＧＲＯ社製）やＧＳＳ（商品名：根本特殊化学社製）等があげられ、蛍光性顔料としては、シンロイヒカラー（商品名：シンロイヒ社製）等があげらる。これらの顔料をウレタン樹脂塗料等に混入するとよい。発光層４２の厚みは１μｍ〜２５μｍの範囲が好ましい。厚みが１μｍ未満であると発光層４２の発光量や耐候性が充分に確保されず、厚みが２５μｍを超えると剥離しやすくなる。
【００１６】
多重反射層４３は光を規則的に多重反射して真珠に似た光沢を得て発光層４２の色見を和らげるための層である。多重反射層４３は、天然雲母片を酸化チタン等で被覆したパール顔料を透明又は半透明の塗料に添加したパール塗料やアルミニウムの燐片を透明又は半透明の塗料に添加したメタリック塗料を発光層４２の表面にシゴキ塗装、スプレー塗装方法により塗布して得られる透明又は半透明の層である。この多重反射層４３は透明又は半透明であればよく、無色であってもよく着色されていてもよい。パール顔料としては、インフィニットカラー（商品名：資生堂社製）等があげられる。メタリック塗料としては、アルミニウムペーストをエポキシ樹脂塗料等で溶かしたものが一般的である。多重反射層４３の厚みは、３μｍ〜３５μｍの範囲が好ましい。厚みが３μｍ未満であると多重反射による光沢が充分ではなく、厚みが３５μｍを超えると透光性を確保しにくくなる。
【００１７】
このように構成された中通し竿では、糸導入口１６の周囲で発光層４２により発光した光は多重反射層４３で多重反射して外部に放射される。このため、発光層４２を耐候性を高めるために厚くしても、多重反射層４３により色見が和らげられ、高級感がある色を発色できる。また、発光層４２が多重反射層４３によりカバーされているので、発光層４２の退色を防止できる。また、糸導入口１６の周囲が発光するので、釣り糸を竿体内部に導入する作業が夜間でも容易に行える。
【００１８】
〔他の実施形態〕
（ａ）  図３に示すように、多重反射層４３の上に透明又は半透明のカラークリア層４４を形成してもよい。この場合には、多重反射層４３の上にさらにカラークリア層４４が形成されるので、多重反射層４３で多重反射した光の色が着色クリア層の色により変化して今までと異なる色を表現でき、さらに高級感を演出できる。
【００１９】
（ｂ）  図４に示すように、発光層４２と多重反射層４３との間にカラークリア層４４を形成してもよい。この場合には、発光層４２の上にさらにカラークリア層４４が形成されるので、発光層４２の色がカラークリア層４４の色及び多重反射層により変化して今までと異なる色を表現でき、さらに高級感を演出できる。
【００２０】
（ｃ）  釣り竿において発光層を形成する部位は糸導入口周辺に限定されるものではなく、トップガイドやグリップ等の竿体の一部又は全部の部位に形成してもよい。
【００２１】
（ｄ）  発光層を形成する筒状体は釣り竿に限定されるものではなく、ゴルフシャフトや自転車のハンドルバーやフレーム体等の筒状体であればどのようなものでもよい。
【００２２】
（ｅ）  発光層や多重反射層を塗装により形成する代わりに、樹脂に顔料を含浸させて樹脂基材とともに筒状に一体成形して形成してもよい。
【００２３】
（ｆ）  発光シール等を樹脂基材に貼り付けて発光層を形成してもよい。
【００２４】
【発明の効果】
本発明に係る筒状体では、発光層の表面に透明又は半透明の多重反射層が形成されているので、発光層で発光した光が多重反射層で多重反射して色が変化し色見が和らげられる。このため発光色の色見がきつくなくなり高級感を演出できる。また、発光層の上に多重反射層が形成されているので、発光層が多重反射層でカバーされ退色しにくくなる。
【図面の簡単な説明】
【図１】  本発明の一実施形態を採用した中通し竿の側面図。
【図２】  その糸導入口周辺の断面拡大部分図。
【図３】  別の実施形態の図２に相当する図。
【図４】  別の実施形態の図２に相当する図。
【符号の説明】
１２〜１４  竿体
１８  トップガイド
４０  樹脂基材
４１  下地層
４２  発光層
４３  多重反射層
４４  カラークリア層
【図１】
0003844539.tif 000002
【図２】
0003844539.tif 000003
【図３】
0003844539.tif 000004
【図４】
0003844539.tif 000005